(57)【要約】【課題】  たとえば、バイクの運転時や荷物の持ち運び作業時などのように、時刻の確認が困難な状況下にあっても、容易に時刻を確認することができる手袋を提供する。【解決手段】  手袋１における本体部２の甲部被覆部５に時計７を水密に設ける。この時計７は、その横軸線Ｃ１が、手袋１の着脱口部と前記指部挿入部とを結ぶ手袋の縦軸線に対して、前記指部挿入部の拇指挿入部側から小指挿入部側にかけて、前記指部挿入部から離れる方向に傾斜している。これにより、眼球のみを動かすことによって、眼球に対して時計７の盤面７ａを正対させることで、目視による時刻の確認を容易にする。【選択図】        図１
2006161220.tif 000002
【特許請求の範囲】
【請求項１】
手先部の甲部を覆う甲部被覆部と手先部の掌部を覆う掌被覆部とを有する本体部と、この本体部の一方側に設けられて前記手先部が挿脱される着脱口部と、前記本体部の他方側に設けられて前記手先部の指部が挿脱される指部挿入部とを備えている手袋において、
前記本体部の甲部被覆部に時計が設けられていることを特徴とする手袋。
【請求項２】
請求項１に記載の手袋において、
前記時計の横軸線が、前記着脱口部と前記指部挿入部とを結ぶ手袋の縦軸線に対して、前記指部挿入部の拇指挿入部側から小指挿入部側にかけて、前記指部挿入部から離れる方向に傾斜していることを特徴とする手袋。
【請求項３】
請求項１または請求項２に記載の手袋において、
前記時計が、前記本体部の甲部被覆部に水密構造で取付けられていることを特徴とする手袋。
【発明の詳細な説明】
【技術分野】
【０００１】
本発明は、手袋に係り、着用時における時刻の確認を容易にした手袋に関するものである。
【背景技術】
【０００２】
従来、屋外における時刻の確認は、一般に、腕時計を目視することによって行われている。
【発明の開示】
【発明が解決しようとする課題】
【０００３】
ところが、バイクの運転時や荷物の持ち運び作業時などにおいて、腕時計を目視して時刻を確認するのは困難である。
【０００４】
すなわち、バイクの運転時では、目視困難な外向き姿勢の腕時計の盤面を内向き姿勢に姿勢変換する手首のひねり操作（以下の説明では、第１の操作という）と、この第１の操作によって姿勢変換された腕時計の盤面に視線を合わせるために、腕時計の方向に顔を指し向ける首ひねり操作（以下の説明では、第２の操作という）とが必要であるばかりか、たとえ、第１の操作によって腕時計の盤面が内向き姿勢に姿勢変換されていても、腕時計の横軸線は目視時の目線に対して傾斜することになるので、第２の操作直後における目視の瞬間に時刻を確認することができず、したがって、若干の確認時間が必要になり、その間、前方不注意運転が継続されることになって、危険度が増大する問題を有している。
【０００５】
一方、荷物の持ち運び作業時では、目視困難な外向き姿勢の腕時計の盤面を内向き姿勢に姿勢変換する第１の操作が制約される場合が多く存在する。このため、時刻の確認を荷物の持ち運び作業終了時点まで遅らせるか、あるいは、運び作業を中断して確認しなければならない問題を有している。
【０００６】
他方、前記バイクの運転や荷物の持ち運び作業は手袋を着用して行われる。特に、冬季などの厚着の状態では、腕時計は、衣服の袖口の内部に隠蔽されている上に、この袖口が手袋の着脱口部によって覆われることになる。つまり、腕時計は、衣服の袖口と手袋の着脱口部とによって、二重にガードされることになる。したがって、手袋の着脱口部を捲り上げる操作と袖口を捲り上げる操作がさらに必要になって、時刻の確認がより一層困難になる問題を有している。
【０００７】
本発明は、このような問題を解決するものであって、その目的とするところは、バイクの運転時や荷物の持ち運び作業時などのように、時刻の確認が困難な状況下にあっても、容易に時刻を確認することができる手袋を提供することにある。
【課題を解決するための手段】
【０００８】
本発明は、手先部の甲部を覆う甲部被覆部と手先部の掌部を覆う掌被覆部とを有する本体部と、この本体部の一方側に設けられて前記手先部が挿脱される着脱口部と、前記本体部の他方側に設けられて前記手先部の指部が挿脱される指部挿入部とを備えている手袋において、前記本体部の甲部被覆部に時計が設けられていることを特徴とするものである。
【０００９】
このようにすることで、たとえば、バイクの運転時や荷物の持ち運び作業時などのように、時刻の確認が困難な状況下にあっても、前記第１の操作と第２の操作を不要にするとともに、手袋の着脱口部を捲り上げる操作および袖口を捲り上げる煩雑な操作をも不要にして、単に、眼球のみを瞬間的に時計の盤面に指し向ける簡単な操作を施すことによって、時計の盤面を目視して時刻を容易に確認することができる。
【００１０】
また、本発明は、前記時計の横軸線を、前記着脱口部と前記指部挿入部とを結ぶ手袋の縦軸線に対して、前記指部挿入部の拇指挿入部側から小指挿入部側にかけて、前記指部挿入部から離れる方向に傾斜させることが好ましい。
なお、前記「時計の横軸線」とは、時計の盤面の中心を通って左右方向にのびる直線のことをいう。
【００１１】
このようにすることで、前記第１の操作および第２の操作を省略し、単に、眼球のみを動かすことによって、眼球に対して時計の盤面を正対させることができるので、目視による時刻の確認がより一層容易になる。
【００１２】
さらに、本発明は、前記時計を前記本体部の甲部被覆部に水密構造で取付けることが好ましい。
【００１３】
このようにすることで、時計と甲部被覆部との境界から手袋の内部に雨水などが浸水する不都合の発生を確実に防止することができる。
【発明の効果】
【００１４】
本発明によれば、たとえば、バイクの運転時や荷物の持ち運び作業時などのように、時刻の確認が困難な状況下にあっても、第１の操作と第２の操作を不要にし、かつ、手袋の着脱口部を捲り上げる操作および袖口を捲り上げる煩雑な操作をも不要にして、単に、眼球のみを瞬間的に時計の盤面に指し向ける簡単な操作を施すことによって、時計の盤面を目視して時刻を容易に確認することができるので、たとえば、バイクの運転時では、前方不注意運転の発生を防止して、安全運転に寄与することができ、また、荷物の持ち運び作業時では、作業終了時点まで時刻の確認を遅らせたり、作業を中断して時刻を確認するような不具合を回避することができる。
【発明を実施するための最良の形態】
【００１５】
以下、本発明に係る手袋の好ましい実施形態を図面に基づいて説明する。
図１は、本発明に係る手袋における左側手袋を甲部側から見た斜視図、図２は、時計の実施形態を示す平面図、図３は、図１におけるＡ−Ａ線に沿う拡大断面図、図４は、図１におけるＢ−Ｂ線に沿う拡大断面図である。
【００１６】
前記図１〜図４において、手袋１は、本体部２と、この本体部２の一方に連設された着脱口部３と、前記本体部２の他方に連設された５本の指部挿入部４とを備えている。
【００１７】
本体部２は、人体の上肢における手先部の甲部を覆う甲部被覆部５と、上肢における手先部の掌部を覆う掌被覆部６とを有し、これら双方５，６で閉断面を構成しているとともに、甲部被覆部５には、デジタル時間表示構造の時計７が目視可能に取付けられている。
【００１８】
すなわち、甲部被覆部５は、表生地５０と、裏生地５１および表生地５０と裏生地５１との間に介在する中間層５２とを備えており、表生地５０と裏生地５１は、天然皮革、合成皮革、撥水または防水処理を施した布地などによって構成され、中間層５２は、スポンジやゴムなどの弾性材料によって構成されて、表生地５０の裏面に設けられた第１層５２ａと、裏生地５１の表面に設けられた第２層５２ｂおよび第１層５２ａと第２層５２ｂの間に位置する厚手の第３層５２ｃとを備えている。
【００１９】
一方、甲部被覆部５における表生地５０と第１層５２ａとを部分的に切欠して凹部８を形成し、この凹部８に皿形の時計保持ケース９を嵌合して、その底部９ａを第３層５２ｃの表面に接着剤１０によって接着するとともに、周壁部９ｂの表面を表生地５０と第１層５２ａに対して接着剤１１によって接着することで、時計保持ケース９と表生地５０と第１層５２ａとの境界から手袋１に雨水などが浸水する不都合の発生を確実に防止する水密構造にしてある。
【００２０】
デジタル時間表示構造の時計７は、矩形状のもので、その左端部がヒンジ部１２を介して時計保持ケース９の周壁部９ｂにおける左端立壁９ｂ１の上端部に開閉可能に連結されている。したがって、時計７は実線で示すように、時計保持ケース９に嵌合されて該時計保持ケース９に水密に収容された収容姿勢と、二点鎖線で示すように、時計保持ケース９から退避して、該時計保持ケース９を開放して退避姿勢の両姿勢を選択できるように構成されている。
【００２１】
また、時計７は、盤面７ａの中心Ｏを通って左右方向にのびる直線（横軸線）Ｃ１を、本体部２の着脱口部３における幅方向の中心位置Ｐ１と指部挿入部４における第３指（中指）挿入部４ａとを結ぶ手袋の縦軸線Ｃ２に対して、右側の第１指（拇指）挿入部４ｂ側から左側の第５指（小指）挿入部４ｃ側にかけて、第５指（小指）挿入部４ｃから離れる方向に傾斜させてある。
【００２２】
前記構成の手袋１によれば、たとえば、該手袋１を着用したバイクの運転時のように、時刻の確認が困難な状況下にあっても、時計７の盤面７ａを内向き姿勢に姿勢変換する第１の操作と、この第１の操作によって姿勢変換された時計７の盤面７ａに視線を合わせるために、時計７の方向に顔を指し向ける第２の操作を不要にするとともに、手袋１の着脱口部３を捲り上げる操作および衣服の袖口を捲り上げる煩雑な操作をも不要にして、単に、眼球のみを瞬間的に時計７の盤面７ａに指し向ける簡単な操作を施すことによって、時計７の盤面７ａを目視して時刻を容易に確認することができる。したがって、前方不注意運転の発生を防止して、安全運転に寄与することができる。
【００２３】
また、手袋１を着用してなされる荷物の持ち運び作業時などのように、時刻の確認が困難な状況下にあっても、前記第１の操作と第２の操作を不要にするとともに、手袋１の着脱口部３を捲り上げる操作および衣服の袖口を捲り上げる煩雑な操作をも不要にして、単に、眼球のみを瞬間的に時計７の盤面７ａに指し向ける簡単な操作を施すことによって、時計７の盤面７ａを目視して時刻を容易に確認することができるので、時刻の確認を荷物の持ち運び作業終了時点まで遅らせたり、あるいは、運び作業を中断して確認しなくてもよい。
【００２４】
一方、時計７は、盤面７ａの中心Ｏを通って左右方向にのびる直線（横軸線）Ｃ１を、本体部２の着脱口部３における幅方向の中心位置Ｐ１と指部挿入部４における第３指（中指）挿入部４ａとを結ぶ手袋の縦軸線Ｃ２に対して、右側の第１指（拇指）挿入部４ｂ側から左側の第５指（小指）挿入部４ｃ側にかけて、第５指（小指）挿入部４ｃから離れる方向に傾斜させてあることによって、前記第１の操作および第２の操作を省略し、単に、眼球のみを動かすことによって、眼球に対して時計７の盤面７ａを正対させることができるので、目視による時刻の確認がより一層容易になる。
【００２５】
さらに、甲部被覆部５における表生地５０と第１層５２ａとを部分的に切欠して形成した凹部８に、皿形の時計保持ケース９を嵌合して、その底部９ａを第３層５２ｃの表面に接着剤１０によって接着するとともに、周壁部９ｂの表面を表生地５０と第１層５２ａに対して接着剤１１によって接着することで、時計保持ケース９と表生地５０と第１層５２ａとの境界から手袋１に雨水などが浸水する不都合の発生を確実に防止する水密構造にしてあるとともに、時計７は、時計保持ケース９に水密に収容できるように構成されていることにより、時計７と甲部被覆部７との境界から手袋１の内部に雨水などが浸水する不都合の発生を確実に防止することができる。しかも、時計７は、時計保持ケース９から退避して、該時計保持ケース９を開放する退避姿勢に保持することで、駆動源であるボタン電池の交換を容易に行うことができる。
【００２６】
なお、前記実施形態では、左側の手袋１に時計７を設けた構成で説明しているが、右側の手袋１または左右両側の手袋１に設けてもよい。また、指部挿入部４は、前記実施形態で説明した５本の指を個別に挿入する構成のもののみに限定されるものではなく、第１指（親指）のみを単独で挿入する指部挿入部と第２指（人指し指）〜第５指（小指）の４本の指を一括して挿入する指部挿入部との２つの指部挿入部によって、指部挿入部４を構成した手袋１であってもよい。そして、時計７の裏面に設けた綿状ファスナーと甲部被覆部５の表面に設けた綿状ファスナーとによって、甲部被覆部５の表面に対して時計７を着脱可能に取付けた構成であってもよい。
【００２７】
また、前記実施形態では、矩形状の時計７を使用して説明しているが、時計７の形状および大きさや厚さは問わない。つまり、任意の形状、大きさ、厚さを有する時計７を選択して使用すればよい。そして、デジタル時間表示構造の時計７に代えてアナログ時間表示構造の時計７を使用してもよい。さらに、太陽電池を駆動源とした時計７を使用することによって、電池交換の手間を省くことができる。また、デジタル時間表示構造の時計７ではバックライトによって盤面７ａを発光させ、アナログ時間表示構造の時計７では指針に蛍光剤を塗着することによって、夜間における時刻の確認が可能になることはいうまでもない。
【００２８】
さらに、前記実施形態では、時計７の左端部を、ヒンジ部１２を介して時計保持ケース９の周壁部９ｂにおける左端立壁９ｂ１の上端部に開閉可能に連結しているが、図５に示すように、時計保持ケース９に対して時計７を水密に挿脱させるように構成してもよい。なお、図５において、図３と同一部分には、同一符号を付して重複する説明は省略する。
【図面の簡単な説明】
【００２９】
【図１】本発明に係る手袋の実施形態における左側手袋を甲部側から見た斜視図である。
【図２】時計の実施形態を示す平面図である。
【図３】図１におけるＡ−Ａ線に沿う拡大断面図である。
【図４】図１におけるＢ−Ｂ線に沿う拡大断面図である。
【図５】甲部被覆部に対する時計の取付け構造の変形例を示す図３に相当する拡大断面図である。
【符号の説明】
【００３０】
１  手袋
２  本体部
３  着脱口部
４  指部挿入部
５  甲部被覆部
６  掌被覆部
７  時計
【図１】
2006161220.tif 000003
【図２】
2006161220.tif 000004
【図３】
2006161220.tif 000005
【図４】
2006161220.tif 000006
【図５】
2006161220.tif 000007